(57)【要約】【課題】  本発明はパーソナルコンピュータ（ＰＣ）等に搭載された磁気記録媒体のデータ消去装置に関し、特にハードディスク（ＨＤ）へのデータ記録方式が垂直磁気記録方式であっても、水平磁気記録方式（面内記録方式）であっても、短時間でハードディスクのデータ消去を行うことを可能とする磁気記録媒体のデータ消去装置を提供するものである。【解決手段】  磁気記録媒体のデータ消去装置であって、ハードディスクが内蔵されたコンピュータと、該コンピュータの平面に対して所定の角度を有する磁束を供給するデータ消去手段と、該データ消去手段を前記コンピュータに内蔵されたハードディスクの位置に移動し、該ハードディスクに記憶されたデータの消去を行うデータ消去手段とを有することを特徴とする。【選択図】  図１
2010113789.tif 000002
【特許請求の範囲】
【請求項１】
ハードディスクが内蔵されたコンピュータと、
該コンピュータの平面に対して所定の角度を有する磁束を供給するデータ消去手段と、
該データ消去手段を前記コンピュータに内蔵されたハードディスクの位置に移動し、該  ハードディスクに記憶されたデータの消去を行うデータ消去手段と、
を有することを特徴とする磁気記録媒体のデータ消去装置。
【請求項２】
前記ハードディスクは水平磁気記録方式、又は垂直磁気記録方式で記録されたデータが記録されていることを特徴とする請求項１記載の磁気記録媒体のデータ消去装置。
【請求項３】
前記データ消去手段は、永久磁石によって構成されていることを特徴とする請求項１、又は２記載の磁気記録媒体のデータ消去装置。
【請求項４】
前記データ消去手段は、電磁石によって構成されていることを特徴とする請求項１、又は２記載の磁気記録媒体のデータ消去装置。
【請求項５】
前記所定の角度は、コンピュータの平面に対して４５度であることを特徴とする請求項１、２、３、又は４記載の磁気記録媒体の位置検出装置。
【請求項６】
前記データ消去手段で生成される磁束は、コンピュータの平面に対して４５度の角度で出力されることを特徴とする請求項１、又は２記載の磁気記録媒体の位置検出装置。
【発明の詳細な説明】
【技術分野】
【０００１】
本発明は、パーソナルコンピュータ（ＰＣ）等に搭載された磁気記録媒体のデータ消去装置に関する。
【背景技術】
【０００２】
現在、企業や個人で使用した磁気ディスク装置（以下、ハードディスクで示す）を廃棄する場合、ハードディスクに記録された情報を第三者に知られないため、例えばコンピュータに接続した状態でオペレーティングシステムからフォーマット処理を行い、磁気情報を消去している。
【０００３】
しかし、上記消去方法では、ハードディスク内の磁気情報の配置等を管理する管理領域のみを消去し、実際の磁気情報はディスク上に残る。そこで、例えば磁気記録媒体に電磁石により生成された磁力を与え、磁気記録媒体に記録されている情報を消去する方法が行われている。
【０００４】
特許文献１は、廃棄する磁気ディスク装置に記録されたデータの漏洩防止のため、データ消去を簡単な操作で行うデータ消去装置の発明であり、磁気ディスク装置に対して磁石による水平方向の磁界を付与し、データ消去を行うデータ消去装置の発明である。
【特許文献１】特開２００７−６６４３９号公報
【発明の開示】
【発明が解決しようとする課題】
【０００５】
しかしなから、最近磁気ディスク装置に対して垂直方向の磁界をかけ、データを記憶する垂直磁気記録方式が採用されている。この方式は、従来の記録方式（特許文献１の記録方式）である面内記録方式に比べてデータの記録密度を高めることができ、有効である。
このため、磁気ディスク装置に記録されたデータを消去する場合、データ消去装置を操作し、水平方向の磁界を磁気ディスク装置に付与し、その後更に垂直方向の磁界を磁気ディスク装置に付与する操作を行う必要があった。
【０００６】
したがって、従来のデータ消去装置では、磁気記録媒体のデータ消去に時間を要し、煩雑な作業が必要であった。
【０００７】
そこで、本発明は上記課題に鑑み、ハードディスク（ＨＤ）へのデータ記録方式が垂直磁気記録方式であっても、水平磁気記録方式（面内記録方式）であっても、短時間でハードディスクのデータ消去を行うことを可能とする磁気記録媒体のデータ消去装置を提供するものである。
【課題を解決するための手段】
【０００８】
上記課題は第１の発明によれば、ハードディスクが内蔵されたコンピュータと、該コンピュータの平面に対して所定の角度を有する磁束を供給するデータ消去手段と、該データ消去手段を前記コンピュータに内蔵されたハードディスクの位置に移動し、該ハードディスクに記憶されたデータの消去を行うデータ消去手段とを有する磁気記録媒体のデータ消去装置を提供することによって達成できる。
また、上記課題は第２の発明によれば、前記ハードディスクは水平磁気記録方式、又は垂直磁気記録方式で記録されたデータが記録されている磁気記録媒体のデータ消去装置を提供することによって達成できる。
【０００９】
また、上記課題は第３の発明によれば、前記データ消去手段は、永久磁石によって構成される磁気記録媒体のデータ消去装置を提供することによって達成できる。
また、上記課題は第４の発明によれば、前記データ消去手段は、電磁石によって構成されている磁気記録媒体のデータ消去装置を提供することによって達成できる。
また、上記課題は第５の発明によれば、前記所定の角度は、コンピュータの平面に対して４５度である磁気記録媒体の位置検出装置を提供することによって達成できる。
【００１０】
また、上記課題は第６の発明によれば、前記データ消去手段で生成される磁束は、コンピュータの平面に対して４５度の角度で出力される磁気記録媒体の位置検出装置を提供することによって達成できる。
【発明の効果】
【００１１】
本発明によれば、ハードディスク（ＨＤ）へのデータ記録方式が垂直磁気記録方式であっても、水平磁気記録方式（面内記録方式）であっても、１回のデータ消去の操作によってハードディスクのデータ消去を行うことができる。
【発明を実施するための最良の形態】
【００１２】
以下、図面を参照しながら本発明の実施の形態について説明する。
【００１３】
図１は、本実施形態の磁気記録媒体のデータ消去装置を使用した全体システムを説明する図である。同図において、磁気記録媒体のデータ消去装置（以下、単にデータ消去装置で示す）１はノート型のパーソナルコンピュータ（ＰＣ）の平面（正面又は裏面）近傍に配設されている。また、パーソナルコンピュータ（ＰＣ）はコンピュータ保持具２に載置されている。
【００１４】
具体的には、コンピュータ保持具２には長手方向に溝３が形成され、この溝３はパーソナルコンピュータ（ＰＣ）の側端面の形状に成形されており、この溝３にパーソナルコンピュータ（ＰＣ）を横向きに移動し、不図示のロック機構を機能させることによって、コンピュータ保持具２にパーソナルコンピュータ（ＰＣ）を保持している。
【００１５】
データ消去装置１はパーソナルコンピュータ（ＰＣ）の平面に対して４５°傾いた状態で配置され、パーソナルコンピュータ（ＰＣ）に内蔵されたハードディスク（ＨＤ）のデータを消去する。
【００１６】
図２はデータ消去装置１の斜視図であり、ヨーク（継鉄）５に永久磁石（以下、単に磁石で示す）６、７を貼着した構成であり、ケース８に収納されている。磁石６はヨーク５側がＳ極に帯磁され、パーソナルコンピュータ（ＰＣ）に対面する側がＮ極に帯磁されている。一方、磁石７はヨーク５側がＮ極に帯磁され、パーソナルコンピュータ（ＰＣ）に対面する側がＳ極に帯磁されている。
【００１７】
したがって、図２に示すように、データ消去装置１のパーソナルコンピュータ（ＰＣ）と対面する側には、磁力線が形成される。この磁力線はデータ消去装置１とパーソナルコンピュータ（ＰＣ）が平行に対面する時、ハードディスク（ＨＤ）に形成された水平磁気を消去する。しかし、本例のデータ消去装置１はパーソナルコンピュータ（ＰＣ）の平面（正面及び裏面）に対して４５°傾いて配置されており、水平磁気のみならず垂直磁気の消去も行う。
【００１８】
すなわち、本例のデータ消去装置１は水平磁気記録方式（面内記録方式）によってデータが記録されたハードディスク（ＨＤ）のみならず、垂直磁気記録方式によってデータが記録されたハードディスク（ＨＤ）に対してもデータの消去を行うことができる。したがって、ハードディスク（ＨＤ）のデータ消去処理を単一のデータ消去装置１によって行うことができる。
【００１９】
尚、上記実施形態例ではデータ消去装置１をパーソナルコンピュータ（ＰＣ）に対して４５°傾ける構成としたが、４５°に限定されるものではなく、例えば環境に対応させて３５°〜５５°の範囲で最もデータ消去が最適な位置にデータ消去装置１を設定してもよい。
【００２０】
また、図３は上記媒体位置検出装置１をパーソナルコンピュータ（ＰＣ）の両側に設置した例であり、より効率よくパーソナルコンピュータ（ＰＣ）内に取り付けられたハードディスク（ＨＤ）のデータを消去することができる。
【００２１】
さらに、図４はデータ消去装置として電磁石を使用した例であり、データ消去装置１０はヨーク１１にコイル１２が巻装された構成であり、このデータ消去装置１０をパーソナルコンピュータ（ＰＣ）の平面に対して４５°の角度で配置し、コイル１２に電流を流すことによってヨーク１０の配設方向に磁束が発生し、パーソナルコンピュータ（ＰＣ）に取り付けられたハードディスク（ＨＤ）のデータ消去を行うことができる。
【００２２】
このデータ消去装置１０を使用する場合も、本例のデータ消去装置１０はパーソナルコンピュータ（ＰＣ）の平面（正面及び裏面）に対して４５°傾いて配置されており、水平磁気記録方式（面内記録方式）によってデータが記録されたハードディスク（ＨＤ）のみならず、垂直磁気記録方式によってデータが記録されたハードディスク（ＨＤ）に対しても１回でデータ消去を行うことができる。
【００２３】
また、上記実施形態の説明では、データ消去装置１、又は１０を４５°傾けて配設する構成としたが、データ消去装置１、又は１０から出力する磁束を４５°傾ける構成としてもよい。
【図面の簡単な説明】
【００２４】
【図１】本実施形態の磁気記録媒体のデータ消去装置を使用した全体システムを説明する図である。
【図２】データ消去装置の斜視図である。
【図３】媒体位置検出装置をパーソナルコンピュータ（ＰＣ）の両側に設置した例を示す図である。
【図４】データ消去装置として電磁石を使用した例を示す斜視図である。
【符号の説明】
【００２５】
１・・・データ消去装置
２・・・コンピュータ保持具
３・・・溝
５・・・ヨーク（継鉄）
６、７・・永久磁石
８・・・ケース
１０・・データ消去装置
１１・・ヨーク
１２・・コイル
ＰＣ・・パーソナルコンピュータ
【図１】
2010113789.tif 000003
【図２】
2010113789.tif 000004
【図３】
2010113789.tif 000005
【図４】
2010113789.tif 000006